(57)【要約】      （修正有）【課題】常時携帯するという観点から、単に照明だけの機能に留まらず所有者にとって有意義な機能を備えた画期的なペンライトを提供すること。【解決手段】ペンライトは筒状に形成されたペンライト本体１と、該ペンライト本体１に装填され且つ電池４が収納可能に形成された絶縁性を有する筒体２と、該筒体２に貼着するシール３とを備え、上記シール３には上記ペンライトを所有する所有者の個人情報を表示し、上記ペンライト本体１の周面の少なくとも一部には中を開けて見るように指示するメッセージｂを表記した。【選択図】図２
0003117506.tif 000002
【実用新案登録請求の範囲】
【請求項１】
以下の要件を備えることを特徴とするペンライト。
（イ）上記ペンライトは筒状に形成されたペンライト本体と、該ペンライト本体に装填され且つ電池が収納可能に形成された絶縁性を有する筒体と、該筒体に貼着するシールとを備えること
（ロ）上記シールには上記ペンライトを所有する所有者の個人情報が表示されていること
（ハ）上記ペンライト本体の周面の少なくとも一部には中を開けて見るように指示するメッセージが表記されていること
【請求項２】
前記シールに表示された個人情報は、少なくとも所有者が不慮の事故に遭遇したときの治療に必要な情報である、請求項１記載のペンライト。
【請求項３】
前記ペンライトには第三者に通報する笛を取着した、請求項１又は２記載のペンライト。
【考案の詳細な説明】
【技術分野】
【０００１】
本考案は、ペンライト、詳しくはペンライトの所有者が事故に遭遇したとき、治療に必要な個人情報が判るようにしたペンライトに関するものである。
【背景技術】
【０００２】
従来、携帯に便利な照明器具としてペンライトが提案され実用に供されている（例えば、特許文献１）。このペンライトは本出願人より提案されているもので、軽い力でスイッチをオンしておくことができ、構造も簡単でコストも抑えることができるようにしたものである。
【特許文献１】特開２００４−２２４６７号公報
【考案の開示】
【考案が解決しようとする課題】
【０００３】
本考案が解決しようとする問題点は、上述のペンライトはペンライト自体の機能に係るものであり、常時携帯されているものであるにも係らず単に照明としての機能しか備えていない点であった。
【０００４】
本考案は、上記問題点を解決し、常時携帯するという観点から、単に照明だけの機能に留まらず所有者にとって有意義な機能を備えた画期的なペンライトを提供することを課題とする。
【課題を解決するための手段】
【０００５】
前記課題を解決するために本考案に係るペンライトは、以下の要件を備えることを特徴とする。
（イ）上記ペンライトは筒状に形成されペンライト本体と、該ペンライト本体に装填され且つ電池を収納する絶縁性を有する筒体と、該筒体に貼着するシールとを備えること
（ロ）上記シールには上記ペンライトを所有する所有者の個人情報が表示されていること
（ハ）上記ペンライト本体の周面の少なくとも一部には中を開けて見るように指示するメッセージが表記されていること
なお、前記シールに表示された個人情報は、少なくとも所有者が不慮の事故に遭遇したときの治療に必要な情報であることが好ましい。
【０００６】
また、前記ペンライトには第三者に通報する笛を取着してもよい。
【考案の効果】
【０００７】
請求項１の考案によれば、所有者が不慮の事故に遭遇し、意思の疎通が取れない場合でも、ペンライト本体に表示されたメッセージに従って中を開けて見るとシールに表示された個人情報が視認できるので、所有者に伝達能力がなくても所有者の情報を第三者に確実に知らしめることができる。
【０００８】
請求項２の考案によれば、シールには、少なくとも所有者が不慮の事故に遭遇したときの治療に必要な情報が表示されているので、意思の疎通が取れない場合でも適切な医療対応を取ることができる。
【０００９】
請求項３の考案によれば、ペンライトに笛を取着することにより、大きな声が出せないような状態であっても確実に第三者に通報することが可能になり、早い対応を期待することができる。
【考案を実施するための最良の形態】
【００１０】
図１は、本考案に係るペンライトを示し、このペンライトはペンライト本体１と、筒体２と、シール３とから構成され、筒体２はペンライト本体１に装填できる太さに形成され、内部には電池４が収容できるようになっている（図２参照）。
【００１１】
上記ペンライト本体１は、前端に電球５の先端を露出させる開口部６が形成された導電性を有する金属の筒部７と、筒部７の後端に取り付ける蓋部８とから構成され、図３に示すように、筒部７の後端には螺合溝１０が形成され、蓋部８のネジ部１１を螺合させることにより、筒部７に蓋部８を固定できるようになっているもので、蓋部８の内部にはスイッチ１２が配置され、ノック式の操作ボタン１３を押し操作する度にＯＮ／ＯＦＦが繰り返され、電球５の点灯／消灯ができるようになっているものである。
【００１２】
そして、上記筒部７の外周面には、中を開けて見るように指示したメッセージ（例えば、「中を開けて見てください」）ｂが表記されている。
【００１３】
また、上記蓋部８にはチェーン１５を介して笛１６が取り付けられている。
【００１４】
筒体２は、電池４を２本収容できる長さの絶縁性を有する筒体で、本考案では紙製の筒体で構成した。この筒体(以下、紙筒体という)２は、収容した電池４を保護するとともに電池４の汚れを防止し、さらに電池４と筒部７とを絶縁し、光の安定と光をより強くすることができるようにしている。
【００１５】
シール３はペンライト本体１の所有者の個人情報ａを記入することができるようにしたもので、この個人情報ａは、図４に示すように、所有者が不慮の事故に遭遇し、意思の疎通が取れないような状態になったとき、治療に必要な情報や連絡先などの情報（例えば、本考案では「所有者氏名」、「緊急連絡先」、・・・・・「掛かりつけの医者や病院の連絡先」など）が記入できるようになっていればよい。
【００１６】
そして、必要事項を記入したシール３は、裏側の図示しない剥離紙を剥がして、上記紙筒体２の周面に、図５（ａ）に示すように、巻きつけるようにして貼り付けることができるようになっている。
【００１７】
上記構成のペンライトを使用するにあたっては、先ずシール３に必要事項を記入し、裏面の剥離紙を剥がして、紙筒体２に巻き付けるようにして貼り付ける（図５（ａ）参照）。
【００１８】
シール３を貼った紙筒体２に、図５（ｂ）に示すように、乾電池４を収容する。
【００１９】
次に、筒部７にコイルバネ２０に保持された電球５、乾電池４を収容した紙筒体２の順番に装填し、最後に蓋部８のネジ部１１を筒部７の螺合溝１０に螺合させ、蓋部８を筒部７に取り付ける。この状態では、図６（ａ）に示すように、筒部７の内部に電球５と紙筒体２に収容された状態の電池４とが収容され、操作ボタン１３の押し操作によりスイッチ１２がＯＮして、電池４、電球５、コイルバネ２０、金属製の筒部７、スイッチ１２、コイルバネ２１を介して閉回路が形成され、電球５が点灯するようになっている（図６（ｂ）参照）。
【００２０】
もし、所有者が不慮の事故に遭遇し、意思表示ができないような状態になり、救助する第三者が所有者の持ち物を調べ、ペンライトＡを見つけたときには、そのペンライト本体１の周面に表示されたメッセージｂに従って、蓋部８を外し、筒部７の内部に収容されている紙筒体２を取り出すと、その紙筒体２にはシール３が貼り付けられているのが一目して判るので、そのシール３に表示された個人情報ａを読み取ることになる。
【００２１】
そのシール３に表示された個人情報ａはそのペンライトＡの所有者の個人情報であるので、その個人情報ａに従って適切且つ早急の対応を取ることができる。
【００２２】
なお、このシール３に表示された個人情報ａは所有者本人が健在な状態であれば、所有者の許可なく勝手に蓋部８を外して紙筒体２を取り出すことはできないので、個人情報ａの保護は確実に維持することができる。
【００２３】
また、所有者が声を出して救助を求めることができない場合でも、ペンライトＡには笛１６が取り付けられているので、笛１６を吹くことにより容易に救助を求めることができる。
【図面の簡単な説明】
【００２４】
【図１】本考案に係る、ペンライトの一例を説明する斜視図
【図２】上記ペンライトの構成を説明する斜視図
【図３】ペンライト本体の構成を説明する斜視図
【図４】シールに記入する個人情報の一例を示すシールの平面図
【図５】（ａ）（ｂ）は筒体にシールを貼り付けた状態、及び電池を収容した状態を説明する斜視図
【図６】（ａ）（ｂ）はペンライトの内部構造を説明する要部縦断面図
【符号の説明】
【００２５】
１    ペンライト本体
２    筒体（紙筒体）
３    シール
４    電池
５    電球
１６    笛
Ａ    ペンライト
ａ    個人情報
ｂ    メッセージ
【図１】
0003117506.tif 000003
【図２】
0003117506.tif 000004
【図３】
0003117506.tif 000005
【図４】
0003117506.tif 000006
【図５】
0003117506.tif 000007
【図６】
0003117506.tif 000008